(57)【要約】      （修正有）【課題】健康を増進する活性水素発生器の電源側器具を提供する。【解決手段】白熱電球、ＥＣＯ電球又はＬＥＤ電球の何れかの電球、ダイオード４、コンデンサー５、電源ソケット、電球ソケット、プラス電極、マイナス電極、トランス２４で形成された電気回路で、プラス電極からマイナス電極に放電し活性水素が発生される活性水素発生器の、トランス２４、電源ソケット、２本の電線、ダイオード４、コンデンサー５、筒から成る活性水素発生器の電源側器具。【選択図】図３
0003192645.tif 000002
【実用新案登録請求の範囲】
【請求項１】
ＥＣＯ電球又はＬＥＤ電球の何れかの電球を挿入したソケットの２ヶ所の接点の内の１点にＡ電線とＢ電線、残りの１点にＣ電線とＤ電線を接続し、Ａ電線の端のソケットに接する器外器・トランスと、電源ソケットが両端に位置し、２本の電線が、この両者を連結し、この内の１本の電線で、Ａ線の延長上に、ダイオードを直列に、ダイオードのマイナス極を、電球ソケットの方向に向けて、設置し、ダイオードのプラス極側の電線と、この電線の対立電線とに、並列に、コンデンサーを設置し、Ａ電線、Ｃ電線の端は、器外器の電源ソケットに至りＤ電線の端は、プラス電極となり、Ｂ電線の端は、マイナス電極となり、器外器の電源ソケットから入った交流は、ダイオード、コンデンサーで直流となり、ＥＣＯ電球又はＬＥＤ電球に感応して、プラス電極とマイナス電極の間で、直流電流を発生し、両極間で、８０Ｖ〜１７０Ｖになった時に、使用したＥＣＯ電球又はＬＥＤ電球、ダイオード、コンデンサー、電源ソケット、プラス電極、マイナス電極で構成された電気回路で、前記プラス電極とマイナス電極間に、直流電流を発生させ、プラス電極からマイナス電極に放電し、活性水素を発生される活性水素発生器の、トランス、電源ソケット、２本の電線、ダイオード、コンデンサー、筒から成る活性水素発生器の電源側器具。
【考案の詳細な説明】
【技術分野】
【０００１】  この考案は健康を増進する器具に関する。
【背景技術】
【０００２】
【特許文献１】  登録第３１６８９１１号
【特許文献２】  登録第３１７０５５１号
【特許文献３】  登録第３１７２５８４号
【特許文献４】  登録第３１７３２６３号
【特許文献５】  登録第３１８９５０２号
【考案の概要】
【考案が解決しようとする課題】
【０００３】  近年、ストレスの緩和、精神的安定、空気中のゴミの除去作用があるとしてマイナスイオンが着目されているが、五感に容易にその効果が分かる器具はない。マイナスイオンとは酸素イオンの事で、オゾンＯ３である。体中では、活性酸素が悪事をするので、活性酸素を中和して、無害にする為、色々努力するのであるが、Ｏ３も活性酸素なので、マイナスイオンと同じ仲間で、Ｏ３は活性酸素に無力で、体にいい感じを与えないので、活性酸味を中和する活性水素を求めている。【０００４】  本考案は、五感に容易に活性水素の存在を確かめられる為の工夫の開発である。
【課題を解決するための手段】
【０００５】  ＥＣＯ電球又はＬＥＤ電球の何れかの電球に、ダイオードとコンデンサーで直流とした電流を感應させると、適度の直流高圧電流を発生させ、活性水素が発生されたのである。
【考案の効果】
【０００６】通電１分後に、活性水素開放口に、３ｃｍ近付けて、呼吸をするのに２〜３回の呼吸で、大きな息を自然にし、又肺の奥に、呼気が届いている様に感ずる。【０００７】  鼻の通りが良くなる。【０００８】  腎臓の新陳代謝が大きくなり、体がおだやかになる事がすぐに分かり、クレアニチンの基準値内の数値が容易に最良値になり、１５％低いクレアニチンが正常になり、醗酵アガリクス茸を食べると、この活性は高まる。【０００９】  通じが良くなり、１日に数回も下痢する事なく通じがあるようになり、その時には吸引を控えればよい。【００１０】  重度の不眠が改善される。【００１１】  活性水素の気流中で大きな呼吸をしたとき片方の肺に異常を感じた場合、簡単に治る。【００１２】  喘息によい。【００１３】  顔のイボにあった黒子の色が消えた。【００１４】  手相の生命線に副生命線のある人が数ヵ月で、之が伸びた。【００１５】  前立腺肥大の手術後の良否は生命線に現はれる。【００１６】  マイナスイオンは活性酸素とも言い猛毒で、体の中から何時も発生し、甲状腺ガン等のガンもガンが健康な細胞に、直接ガンを引き起こすのでなく、一旦ガンの因子が健康な細胞に活性酸素を発生させ、細胞を弱らせた後に、之をガン化させると言われている。この活性酸素を活性水素で中和し無害の水として、活性酸素を除去する。【００１７】一晩の吸引で、効果は２４時間は持続する。（置場所１ｍ以内．６畳）自覚できる。【００１８】  痔はなをる。
【考案を実施する為の形態】
【００１９】  図面を参照しながら説明します。図１、図２、図３は横から見た図です。ソケット１９の２１から入った電流は、１２のコンデンサーの片端、４のダイオード（３０Ｅ１）、トランスの２２、図１の１の２、電球のソケット６を通り、７の電球を点灯した後電球のソケット６の１０、を通り、１のソケットの端３に至ってトランスの２４の２３、１３のコンデンサーの片端、電源ソケット１９の２０に至って電源に入り、電球のソケット６と電線との接点１０，１１から電線を８、９に接続し、９をマイナス極とし８をプラス極とし両電極間の直流電圧は８０Ｖ〜１７０Ｖ、７は図１ではＬＥＤ電球で、図２ではＥＣＯ電球で、８のプラス極より直流電流を放電して、活性水素を発生する。
【図面の簡単な説明】
【００２０】
【図１】は活性水素発生器にＬＥＤ電球を使用した電気回路図。
【図２】は活性水素発生器にＥＣＯ電球を使用した電気回路図。
【図３】は活性水素発生器の電源側器具の電気回路図。
【符号の説明】
【００２１】  １  ソケット
２  ソケットの先
３  ソケットの先
４  ダイオード
５  コンデンサー
６  電球のソケット
７  ＥＣＯ電球〔図２〕  ＬＥＤ電球〔図１〕
８  プラス極
９  マイナス極
１０  プラス極接点
１１  マイナス極接点
１２  コンデンサーの片端
１３  コンデンサーの片端
１４  本体箱
１５  電球取出口
１６  温度見張、遮光用、低温熔解プラスチック
１７  安定円盤
１８  有孔電球ソケット安定盤
１９  通風孔
２０  ソケットの先
２１  ソケットの先
２２  トランスの端
２３  トランスの端
２４  トランス
【図１】
0003192645.tif 000003
【図２】
0003192645.tif 000004
【図３】
0003192645.tif 000005
【手続補正書】
【提出日】平成26年4月22日(2014.4.22)
【手続補正１】
【補正対象書類名】明細書
【補正対象項目名】０００５
【補正方法】変更
【補正の内容】
【０００５】５％〜２０％の節電タイプの白熱電球、ＥＣＯ電球又はＬＥＤ電球の何れかの電球にダイオードとコンデンサーで直流とした電流を流すと、適度の直流電流を発生させ、活性水素が発生されたのである。
【手続補正３】
【補正対象書類名】明細書
【補正対象項目名】００１９
【補正方法】変更
【補正の内容】
【００１９】  図面を参照しながら説明します。図１、図２、図３、図４は横から見た図です。ソケット１９の２１から入った電流は、１２のコンデンサーの片端、４のダイオード（３０Ｅ１）、トランスの２２、図１の１の２、電球のソケット６を通り、７の電球を点灯した後電球のソケット６の１０、を通り、１のソケットの端３に至ってトランスの２４の２３、１３のコンテンサーの片端、電源ソケット１９の２０に至って電源に入り、電球のソケット６と電線との接点１０，１１から電線を８、９に接続し、９をマイナス極とし８をプラス極とし両電極間の直流電圧は３０Ｖ〜１７０Ｖ、７は図１ではＬＥＤ電球で、図２ではＥＣＯ電球で図４では５％〜２０％の節電タイプの白熱電球であり、プラス電極からマイナス電極に放電し、活性水素が発生される。
【手続補正４】
【補正対象書類名】明細書
【補正対象項目名】００２０
【補正方法】変更
【補正の内容】
【００２０】
【図１】は活性水素発生器にＬＥＤ電球を使用した電気回路図。
【図２】は活性水素発生器にＥＣＯ電球を使用した電気回路図。
【図３】は活性水素発生器の電源側器具の電気回路図。
【図４】は５％〜２０％の節電タイプの白熱電球を使用した電気回路図。
【手続補正５】
【補正対象書類名】明細書
【補正対象項目名】００２１
【補正方法】変更
【補正の内容】
【００２１】  １  電源ソケット
２  ソケットの先
３  ソケットの先
４  ダイオード
５  コンデンサー
６  電球のソケット
７  １０％節電タイプの白熱電球、６．５ＷのＬＥＤ電球、８ＷのＥＣＯ電球
８  プラス極
９  マイナス極
１０  プラス極接点
１１  マイナス極接点
１２  コンデンサーの片端
１３  コンデンサーの片端
１４  本体箱（外せる）
１５  本体箱
１７  安定円盤
１８  箱固定部
【手続補正６】
【補正対象書類名】図面
【補正対象項目名】図４
【補正方法】追加
【補正の内容】
【図４】
0003192645.tif 000006
【手続補正７】
【補正対象書類名】実用新案登録請求の範囲
【補正対象項目名】全文
【補正方法】変更
【補正の内容】
【実用新案登録請求の範囲】
【請求項１】
５％〜２０％の節電タイプの白熱電球、ＥＣＯ電球又はＬＥＤ電球の何れかの電球を挿入したソケットの２ヶ所の接点の内の１点にＡ電線とＢ電線、残りの１点にＣ電線とＤ電線を接続し、Ａ電線の端のソケットに接する器外器・トランスと、電源ソケットが両端に位置し、２本の電線が、この両者を連結し、この内の１本の電線で、Ａ線の延長上に、ダイオードを直列に、ダイオードのマイナス極を、電球ソケットの方向に向けて、設置し、ダイオードのプラス極側の電線と、この電線の対立電線とに、並列に、コンデンサーを設置し、Ａ電線、Ｃ電線の端は、器外器の電源ソケットに至りＤ電線の端は、プラス電極となり、Ｂ電線の端は、マイナス電極となり、器外器の電源ソケットから入った交流は、ダイオード、コンデンサーで直流となり５％〜２０％の節電タイプの白熱電球、ＥＣＯ電球又はＬＥＤ電球の何れかの電球に感応して、プラス電極とマイナス電極の間で、直流電流を発生し、両極の間で、３０Ｖ〜１７０Ｖになった時に、使用した５％〜２０％の節電タイプの白熱電球、ＥＣＯ電球又はＬＥＤ電球の何れかの電球、ダイオード、コンデンサー、電球のソケット、電源ソケット、プラス電極、マイナス電極で形成された電気回路で、プラス電極からマイナス電極に放電し、活性水素が発生される活性水素発生器の、トランス、電源ソケット、２本の電線、ダイオード、コンデンサー、筒から成る活性水素発生器の電源側器具。
【手続補正書】
【提出日】平成26年4月24日(2014.4.24)
【手続補正１】
【補正対象書類名】明細書
【補正対象項目名】０００５
【補正方法】変更
【補正の内容】
【０００５】  白熱電球、ＥＣＯ電球又はＬＥＤ電球の何れかの電球にダイオードとコンデンサーで直流とした電流を流すと、適度の直流電流が流れ、直流電流は放電し、活性水素が発生されたのである。
【手続補正３】
【補正対象書類名】明細書
【補正対象項目名】００１９
【補正方法】変更
【補正の内容】
【００１９】  図面を参照しながら説明します。図１、図２、図３、図４は横から見た図です。ソケット１９の２１から入った電流は、１２のコンデンサーの片端、４のダイオード（３０Ｅ１）、トランスの２２、図１の１の２、電球のソケット６を通り、７の電球を点灯した後電球のソケット６の１０、を通り、１のソケットの端３に至ってトランスの  ２４の２３、１３のコンデンサーの片端・電源ソケット１９の２０に至って電源に入り、電球のソケット６と電線との接点１０，１１から電線を８、９に接続し、９をマイナス極とし８をプラス極とし、プラス電極からマイナス電極に放電し、活性水素が発生される。
【手続補正４】
【補正対象書類名】明細書
【補正対象項目名】００２０
【補正方法】変更
【補正の内容】
【００２０】
【図１】は活性水素発生器にＬＥＤ電球を使用した電気回路図。
【図２】は活性水素発生器にＥＣＯ電球を使用した電気回路図。
【図３】は活性水素発生器の電源側器具の電気回路図。
【図４】は白熱電球を使用した電気回路図。
【手続補正５】
【補正対象書類名】明細書
【補正対象項目名】００２１
【補正方法】変更
【補正の内容】
【００２１】  １  ソケット
２  ソケットの先
３  ソケットの先
４  ダイオード
５  コンデンサー
６  電球のソケット
７  ＥＣＯ電球［図２］  ＬＥＤ電球［図１］  白熱電球［図４］
８  プラス極
９  マイナス極
１０  プラス極接点
１１  マイナス極接点
１２  コンデンサーの片端
１３  コンデンサーの片端
１４  本体箱
１５  電球取出口
１６  温度見張、遮光用、低温熔解プラスチック
１７  安定円盤
１８  有孔電球ソケット安定盤
１９  通風孔
２０  ソケットの先
２１  ソケットの先
２２  トランスの端
２３  トランスの端
２４  トランス
【手続補正６】
【補正対象書類名】実用新案登録請求の範囲
【補正対象項目名】全文
【補正方法】変更
【補正の内容】
【実用新案登録請求の範囲】
【請求項１】
白熱電球、ＥＣＯ電球又はＬＥＤ電球の何れかの電球を挿入したソケットの２ヶ所の接点の内の１点にＡ電線とＢ電線、残りの１点にＣ電線とＤ電線を接続し、Ａ電線の端のソケットに接する器外器・トランスと、電源ソケットが両端に位置し、２本の電線が、この両者を連結し、この内の１本の電線で、Ａ線の延長上に、ダイオードを直列に、ダイオードのマイナス極を、電球ソケットの方向に向けて、設置し、ダイオードのプラス極側の電線と、この電線の対立電線とに、並列に、コンデンサーを設置し、Ａ電線、Ｃ電線の端は、器外器の電源ソケットに至りＤ電線の端は、プラス電極となり、Ｂ電線の端は、マイナス電極となり、器外器の電源ソケットから入った交流は、ダイオード、コンデンサーで直流となり白熱電球、ＥＣＯ電球又はＬＥＤ電球の何れかの電球に感応して、プラス電極とマイナス電極の間で直流電流を発生しその時に使用した白熱電球、ＥＣＯ電球又はＬＥＤ電球の何れかの電球、ダイオード、コンデンサー、電源ソケット、電球ソケット、プラス電極、マイナス電極、トランスで形成された電気回路で、プラス電極からマイナス電極に放電し活性水素が発生される活性水素発生器の、トランス、電源ソケット、２本の電線、ダイオード、コンデンサー、筒から成る活性水素発生器の電源側器具。
【手続補正書】
【提出日】平成26年5月20日(2014.5.20)
【手続補正１】
【補正対象書類名】実用新案登録請求の範囲
【補正対象項目名】全文
【補正方法】変更
【補正の内容】
【実用新案登録請求の範囲】
【請求項１】
ＥＣＯ電球又はＬＥＤ電球の何れかの電球を挿入したソケットの２ヶ所の接点の内の１点にＡ電線とＢ電線、残りの１点にＣ電線とＤ電線を接続し、Ａ電線の端のソケットに接する器外器のトランスと、電源ソケットが両端に位置し、２本の電線が、この両者を連結し、この内の１本の電線で、Ａ線の延長上に、ダイオードを直列に、ダイオードのマイナス極を、電球ソケットの方向に向けて、設置し、ダイオードのプラス極側の電線と、この電線の対立電線とに、並列に、コンデンサーを設置し、Ａ電線、Ｃ電線の端は、器外器の電源ソケットに至りＤ電線の端は、プラス電極となり、Ｂ電線の端は、マイナス電極となり、器外器の電源ソケットから入った交流は、ダイオード、コンデンサーで直流となりＥＣＯ電球又はＬＥＤ電球の何れかの電球に感応してプラス電極とマイナス電極の間で直流電流を発生しその時に使用したＥＣＯ電球又はＬＥＤ電球の何れかの電球、ダイオード、コンデンサー、電源ソケット、電球ソケット、プラス電極、マイナス電極、トランスで形成された電気回路でプラス電極からマイナス電極に放電し活性水素が発生される活性水素発生器の、トランス、電源ソケットを両端に有し、ダイオード、コンデンサー、２本の電線を内に有する筒、ダイオード、コンデンサー、２本の電線、電源ソケット、トランスからなる活性水素発生器の電源側器具。
【手続補正２】
【補正対象書類名】明細書
【補正対象項目名】０００５
【補正方法】変更
【補正の内容】
【０００５】  ＥＣＯ電球又はＬＥＤ電球の何れかの電球に、ダイオードとコンデンサーで直流とした電流を感應させると、適度の直流高圧電流を発生させ、活性水素が発生されたのである。
【手続補正３】
【補正対象書類名】明細書
【補正対象項目名】００１９
【補正方法】変更
【補正の内容】
【００１９】  図面を参照しながら説明します。図１、図２、図３は横から見た図です。ソケット１９の２１から入った電流は、１２のコンデンサーの片端、４のダイオード（３０Ｅ１）、トランスの２２、図１の１の２、電球のソケット６を通り、７の電球を点灯した後電球のソケット６の１０、を通り、１のソケットの端３に至ってトランスの２４の２３、１３のコンデンサーの片端、電源ソケット１９の２０に至って電源に入り、電球のソケット６と電線との接点１０，１１から電線を８、９に接続し、９をマイナス極とし８をプラス極とし両電極間の直流電圧は８０Ｖ〜１７０Ｖ、７は図１ではＬＥＤ電球で、図２ではＥＣＯ電球で、８のプラス極より直流電流を放電して、活性水素を発生する。
【手続補正４】
【補正対象書類名】明細書
【補正対象項目名】００２０
【補正方法】変更
【補正の内容】
【００２０】
【図１】は活性水素発生器に、ＬＥＤ電球を使用した電気回路図。
【図２】は活性水素発生器に、ＥＣＯ電球を使用した電気回路図。
【図３】は活性水素発生器の電源側器具の電気回路図。
【手続補正５】
【補正対象書類名】明細書
【補正対象項目名】００２１
【補正方法】変更
【補正の内容】
【００２１】  １  ソケット
２  ソケットの先
３  ソケットの先
４  ダイオード
５  コンデンサー
６  電球のソケット
７  ＥＣＯ電球〔図２〕  ＬＥＤ電球〔図１〕
８  プラス極
９  マイナス極
１０  プラス極接点
１１  マイナス極接点
１２  コンデンサーの片端
１３  コンデンサーの片端
１４  本体箱
１５  電球取出口
１６  温度見張、遮光用、低温熔解プラスチック
１７  安定円盤
１８  有孔電球ソケット安定盤
１９  通風孔
２０  ソケットの先
２１  ソケットの先
２２  トランスの端
２３  トランスの端
２４  トランス
２５  筒
【手続補正６】
【補正対象書類名】図面
【補正対象項目名】図４
【補正方法】削除
【補正の内容】
【手続補正７】
【補正対象書類名】図面
【補正対象項目名】図３
【補正方法】変更
【補正の内容】
【図３】
0003192645.tif 000007